(57)【要約】  本発明は、温度のバリア層（３）と、極めて薄く形成される外側の絶縁層（５）とを有する壁部材又は屋根面部材（１）に関する。代替的に、外側にさらに吸収層（６）を設けることができる。このような部材（１）と共に構成される建物は、年間平均温度でプラスのエネルギーバランスをもたらす。【選択図】  図１
2009503286.tif 000002
【特許請求の範囲】
【請求項１】
流体貫流路（流体導管）を備える少なくとも１つの温度のバリア層と、該温度のバリア層の両側に少なくとも１つの絶縁層とを有する、建物の外壁及び／又は屋根面であって、前記温度のバリア層に対して外方向にある側における前記絶縁層の厚さは内側におけるよりも薄いことを特徴とする、外壁及び／又は屋根面。
【請求項２】
前記温度のバリア層に対して外方向にある側における前記絶縁層の厚さは、内側の前記絶縁層の厚さよりも８０％未満、好ましくは６０％未満、特に好ましくは４０％未満薄いことを特徴とする、請求項１に記載の建物の外壁及び／又は屋根面。
【請求項３】
前記温度のバリア層に対して外方向にある側における前記絶縁層の厚さは、１０ｃｍ未満、好ましくは８ｃｍ未満、特に好ましくは６ｃｍ未満であることを特徴とする、請求項１又は２に記載の外壁及び／又は屋根面。
【請求項４】
前記外壁及び／又は前記屋根面は、モジュール部材として形成されることを特徴とする、請求項１〜３のいずれか一項に記載の外壁及び／又は屋根面。
【請求項５】
前記温度のバリア層は、コンクリートコア内に埋設される流体貫流路、特に管又はホースとして形成される流体貫流路を備えることを特徴とする、請求項１〜４のいずれか一項に記載の外壁及び／又は屋根面。
【請求項６】
前記温度のバリア層に対して外方向に配置される、流体貫流路を備える少なくとも１つの第２の層をさらに備えることを特徴とする、請求項１〜５のいずれか一項に記載の外壁及び／又は屋根面。
【請求項７】
少なくとも１つの絶縁層は、発泡材、特にポリスチレン発泡材を含むことを特徴とする、請求項１〜６のいずれか一項に記載の外壁及び／又は屋根面。
【請求項８】
少なくとも１枚の支持板、特にＯＳＢ板と、該支持板上に配置される少なくとも１つの絶縁層とを備えることを特徴とする、請求項１〜７のいずれか一項に記載の外壁及び／又は屋根面。
【請求項９】
前記少なくとも１枚の支持板は、垂木屋根の下側に配置されることを特徴とする、請求項１〜８のいずれか一項に記載の外壁及び／又は屋根面。
【請求項１０】
ミアンダ状の導管をさらに備える、請求項１〜９のいずれか一項に記載の外壁及び／又は屋根面。
【請求項１１】
前記外壁及び／又は前記屋根面の厚さは、３５ｃｍ未満、好ましくは３０ｃｍ未満、特に好ましくは２５ｃｍ未満であることを特徴とする、請求項１〜１０のいずれか一項に記載の外壁及び／又は屋根面。
【請求項１２】
前記外壁及び／又は前記屋根面は、外側に少なくとも部分的に光電池を有することを特徴とする、請求項１〜１１のいずれか一項に記載の外壁及び／又は屋根面。
【請求項１３】
流体貫流路を備える少なくとも１つの第１の温度のバリア層を有する、建物の外壁及び／又は屋根面であって、前記温度のバリア層に対して外方向にある側において、少なくとも１つの第１の絶縁層が該温度のバリア層に隣接しており、なお、流体貫流路を備える少なくとも１つのさらなる吸収層が、前記温度のバリア層に対して外方向にある側に配置されることを特徴とする、建物の外壁及び／又は屋根面。
【請求項１４】
さらなる絶縁層が、前記吸収層の外側に配置されることを特徴とする、請求項１３に記載の外壁及び／又は屋根面。
【請求項１５】
前記第１の絶縁層及び／又は前記さらなる絶縁層の厚さは、５ｃｍ未満、好ましくは２ｃｍ未満であることを特徴とする、請求項１３又は１４に記載の外壁及び／又は屋根面。
【請求項１６】
前記温度のバリア層は、コンクリートコア内に埋設される流体貫流路を備えることを特徴とする、請求項１３〜１５のいずれか一項に記載の外壁及び／又は屋根面。
【請求項１７】
前記流体貫流路は、管又はホースとして形成されることを特徴とする、請求項１３〜１６のいずれか一項に記載の外壁及び／又は屋根面。
【請求項１８】
前記流体貫流路は、ポリプロピレン管として形成されることを特徴とする、請求項１３〜１７のいずれか一項に記載の外壁及び／又は屋根面。
【請求項１９】
前記外壁及び／又は前記屋根面は、モジュラープレートとして形成されることを特徴とする、請求項１３〜１８のいずれか一項に記載の外壁及び／又は屋根面。
【請求項２０】
少なくとも１つの絶縁層は、発泡材、特にポリスチレン発泡材を含むことを特徴とする、請求項１３〜１９のいずれか一項に記載の外壁及び／又は屋根面。
【請求項２１】
前記外壁及び／又は前記屋根面の厚さは、３５ｃｍ未満、好ましくは３０ｃｍ未満、特に好ましくは２５ｃｍ未満であることを特徴とする、請求項１３〜２０のいずれか一項に記載の外壁及び／又は屋根面。
【請求項２２】
前記外壁及び／又は前記屋根面は、外側に少なくとも部分的に光電池を備えることを特徴とする、請求項１３〜２１のいずれか一項に記載の外壁及び／又は屋根面。
【請求項２３】
請求項１〜２２のいずれか一項に記載の外壁及び／又は屋根面の部分として形成される、壁部材又は屋根面部材。
【請求項２４】
流体貫流路を備える少なくとも１つの温度のバリア層と、少なくとも１つの絶縁層とを有する、特に請求項１〜２２のいずれか一項に記載の外壁及び／又は屋根面を備える低エネルギー住宅又はエネルギー利得住宅であって、前記温度のバリア層に対して外方向にある側における前記絶縁層の厚さは、１０ｃｍ未満、好ましくは８ｃｍ未満、特に好ましくは６ｃｍ未満であることを特徴とする、低エネルギー住宅又はエネルギー利得住宅。
【請求項２５】
流体導管によって前記外壁及び／又は前記屋根面と接続される、前記低エネルギー住宅の下に配置される少なくとも１つの蓄熱器をさらに備える、請求項２４に記載の低エネルギー住宅又はエネルギー利得住宅。
【請求項２６】
前記流体導管には液体、特に水と不凍液との混合物が充填されることを特徴とする、請求項２４又は２５に記載の低エネルギー住宅又はエネルギー利得住宅。
【請求項２７】
屋根面、特に請求項１〜２２のいずれか一項に記載の屋根面を製造する方法であって、
垂木の下方に少なくとも１枚の支持板を取り付けるステップと、
絶縁層を塗布するステップと、
流体を導く導管を載置するステップと、
さらなる絶縁層を塗布するステップと、
ルーフィングを載置するステップと
を含む、方法。
【請求項２８】
前記流体を導く導管は埋め込み用樹脂内に埋設されることを特徴とする、請求項２７に記載の方法。
【請求項２９】
前記埋め込み用樹脂と前記絶縁層とが互いに結合するように、前記さらなる絶縁層がまだ流体である前記埋め込み用樹脂に塗布されることを特徴とする、請求項２７又は２８に記載の方法。
【請求項３０】
好ましくは吸収層として形成される、流体を導く導管を有するさらなる層が塗布されることを特徴とする、請求項２７〜２９のいずれか一項に記載の方法。
【請求項３１】
流体を導く導管を有する第１の層が塗布され、該層に絶縁層が塗布され、次いで前記流体を導く導管を有する前記さらなる層が塗布されることを特徴とする、請求項２７〜３０のいずれか一項に記載の方法。
【請求項３２】
絶縁層が、前記流体を導く導管を有する前記さらなる層に塗布されることを特徴とする、請求項２７〜３１のいずれか一項に記載の方法。
【発明の詳細な説明】
【技術分野】
【０００１】
本発明は、流体貫流路を有する温度のバリアとしての建物の壁と、流体貫流路を有する温度のバリアとしての屋根面と、本発明による屋根面の製造方法とに関する。
【背景技術】
【０００２】
熱のバリアとして作用する、流体貫流路を有する建物の壁は既知である。そこで、「低エネルギー住宅」と題するドイツ公開特許第２９８  ０４  ０９５号は、流体導管を有するコアゾーンを有する建物の壁を示している。温度のバリアと共に構成されるこのような壁においては、空調用に例えば地熱のような低温エネルギーを供給できる。したがって、太陽電池給電によって達成できる１８℃未満の温度、特に地熱も空調目的に利用可能である。
【０００３】
低エネルギー住宅の既知の外壁の欠点は、ほとんどの場合に厚い壁厚を必要とすることである。したがって、低エネルギー住宅又は太陽熱を単純利用する住宅の技術用の、従来の大幅に絶縁された外壁だけでも３５ｃｍに及ぶ厚い外部絶縁体が必要であり、既知の技術水準による、熱のバリアを有する建物の壁もいくらかより薄い絶縁層を有しているに過ぎない。
【発明の開示】
【発明が解決しようとする課題】
【０００４】
これに対して本発明の課題は、外壁及び屋根の構成をできるだけ薄くできる外壁又は屋根面を提供することである。
【０００５】
さらに本発明の課題は、壁に組み込まれた温度のバリアを、外の温度が相当して高い場合には、同時にエネルギーを得るためにも利用することである。
【０００６】
さらに本発明の課題は、年間平均温度において熱エネルギーを獲得するのに用いられる家壁又は屋根面を提供できるようにすることである。
【課題を解決するための手段】
【０００７】
本発明の課題は、独立請求項のうちの１つに記載の外壁又は屋根面によって驚くほど簡単に達成される。
【０００８】
本発明の好ましい実施の形態及びさらなる構成はそれぞれの従属請求項から明らかになる。
【０００９】
本発明によれば、建物の外壁又は屋根面は、少なくとも１つの流体貫流路を備える温度のバリア層が設けられている。温度のバリア層は両側が絶縁層によって囲まれている。本発明によれば、温度のバリア層に対して外方向にある側、すなわち外側における絶縁層の厚さは、内側におけるよりも薄い。
【００１０】
本発明者は、外側の断熱を小さくすると、好ましくは液体が貫流する温度のバリア層は、温度のバリア層としてだけではなく、外の温度が相当して高い場合は、同時に集熱器（熱光起電デバイス）層としても利用できることを発見した。
【００１１】
驚くべきことに、このように構成される外壁では、壁を介して年間平均温度で温度利得を達成できることが判明した。同時に、壁厚も低減できる。したがって、驚くべきことに、壁の外側がより強く絶縁される場合よりも少ない絶縁コストでプラスのエネルギーバランスが達成される。
【００１２】
このような温度利得を利用できるようにするため、本発明によれば、流体貫流路が建物の下に配置される蓄熱器と接続されることが意図される。
【００１３】
蓄熱器と温度のバリア層を有する外壁とを有する低エネルギー住宅の構成及び制御の詳細に関しては、「低エネルギー住宅」と題するドイツ公開特許第２９  ０４  ０９５号と、「建物のためのエネルギ設備」と題する欧州公開特許第８５０  ３８８号と、「建物の空調、並びに空調される建物、特にゼロエネルギー住宅」と題する欧州公開特許第１０  ６２４  ６３号とを参照されたい。これらの全開示内容が本明細書に援用される。
【００１４】
本発明によれば、年間平均温度で熱エネルギーを獲得する他、外壁又は屋根面を全体としてより薄く構成できることが達成される。したがって本発明は、特に古い建物の増備のために提供されるものである。
【００１５】
好ましくは、外側の絶縁層の厚さは内側の絶縁層の厚さよりも８０％未満、好ましくは６０％未満、特に好ましくは４０％未満薄い。
【００１６】
外側の絶縁層の厚さが４０％未満薄いだけで、充分な温度のバリアが作られることが判明しているが、それでも年間平均温度でエネルギーが獲得される。
【００１７】
本発明の好ましい一実施の形態では、外側の絶縁層の厚さは１０ｃｍ未満、好ましくは８ｃｍ未満、特に好ましくは６ｃｍ未満である。極めて寒冷であっても外部への熱損失を少なく保ち、それでも住宅を温度のバリア層によって暖かく保つことができるようにするため、外側においては５ｃｍの厚さでも充分であることが判明している。
【００１８】
本発明のさらなる一構成では、外部絶縁層に吸収層として形成されるさらなる流体を導く層が配置される。このようにして、夏の月には吸収層を介して熱エネルギーを収集することができる。吸収層はさらなる絶縁層を設けられているか、又は直接、例えば漆喰層のような外層を設けられている。
【００１９】
本発明のさらなる一構成では、外壁又は屋根面はモジュール部材として形成される。このモジュール部材は完全に組み立てられて供給されることができ、建物の壁又は屋根面としての役割を果たす。本発明によれば、例えば漆喰層又はルーフィングといった対応する外層を既に設けられている完全に形成された壁部材を供給することが意図されるだけではなく、外層、特にルーフィングを後に設けられる部材も提供される。
【００２０】
本発明の特別な一実施の形態では、温度のバリア層は、コンクリートコア内に埋設される流体貫流路、特に管又はホースとして形成される流体貫流路を備える。
【００２１】
外壁を型枠工法で製造すること、すなわち型枠を絶縁材、例えばスチロポールで組み立てること、コアゾーン内に導管を嵌め込むこと、及びコアゾーンにコンクリートを流し込むことが意図される。これによって、コアゾーンが蓄熱器としても基層としても機能する。
【００２２】
好ましくは、流体貫流路としてポリプロピレン管が使用される。このような合成物質は特に耐久性が高く、したがって住宅建設にはよく適している。
【００２３】
本発明の好ましい一実施の形態では、絶縁層は発泡材、特にポリスチレン発泡材として形成される。このような発泡材は耐燃性が高く、その上、特に軽量で耐久性が高い。
【００２４】
本発明のさらなる一構成では、外壁又は屋根面は、少なくとも１つの支持板、特にＯＳＢ（配向性ストランドボード）、すなわち絶縁層がその上に配置される多層パーティクルボードを備える。
【００２５】
特にパーティクルボードとして形成されるそのような支持板は、特に屋根面を形成するのに適している。その際、支持板を垂木屋根の下側に取り付けることが意図される。その場合、支持板の上側には絶縁層、温度のバリア層、絶縁層、及びルーフィングを順に載置可能である。
【００２６】
その際、好ましくは、温度のバリア層は、ミアンダ状に敷設される導管によって形成される。
【００２７】
外壁又は屋根面の全体の厚さは、本発明の好ましい一実施の形態では、３５ｃｍ未満、好ましくは３０ｃｍ未満、特に好ましくは２５ｃｍ未満である。それによって、本発明によれば、全体の厚さが、従来の大幅に絶縁された外壁における絶縁体だけよりも薄い外壁を提供することができる。
【００２８】
実現可能な２５ｃｍ未満の厚さによって、本発明の外壁は、特に古い建物を現代風にすることにも適している。
【００２９】
本発明のさらなる一構成では、壁又は屋根面の外面に少なくとも部分的に光電池が配置される。このように形成される壁によって、熱エネルギーが得られるだけではなく、同時に電流の形態でさらにエネルギーが得られる。
【００３０】
その際、光電池として従来のシリコン太陽電池の他に、新型の薄層太陽電池、特に亜鉛・酸素、亜鉛・セレン、又は銅・インジウム・セレナイトの電池も使用できる。
【００３１】
さらに本発明は、建物の外壁及び／又は屋根面が、少なくとも１つの第１の流体貫流路を備える温度のバリア層を設けられ、温度のバリア層の外側に少なくとも１つの第１の絶縁層が隣接している代替の一実施の形態に関する。本発明のこの代替の実施例では、温度のバリア層から外向きに、流体貫流路を備えるさらなる吸収層が配置される。
【００３２】
したがって本発明のこの実施の形態は、流体貫流路を有する２つの層を含んでおり、流体貫流路を有する内層は主として温度のバリア層として、また流体貫流路を有する外層は主として吸収層として設けられている。相当する高温が壁の大部分において存在する場合には吸収層によって熱を獲得し、蓄熱器に供給することができる。温度のバリア層は、建物の均一な温度調節のために利用される。
【００３３】
驚くべきことに、このような構造によって著しく薄い外壁の厚さを実現できる。
【００３４】
本発明の好ましい一実施の形態では、さらなる絶縁層が吸収層の外側に配置される。それによって吸収層は、流体貫流路を流れる流体の凝集状態の変化をもたらすことがある特に低い温度から保護される。
【００３５】
本発明の好ましい一実施の形態では、第１の絶縁層又はさらなる絶縁層の厚さは、５ｃｍ未満、好ましくは２ｃｍ未満である。温度のバリアと吸収層との本発明による組み合わせにおいて充分な断熱を達成するには、このように薄い絶縁層でもはや充分であることが判明している。
【００３６】
この実施の形態によっても、外壁全体の厚さを３５ｃｍ未満〜２５ｃｍ未満にすることが可能である。
【００３７】
本発明はさらに、特に本発明による外壁又は屋根面と共に構成される低エネルギー住宅又はエネルギー利得住宅に関する。低エネルギー住宅は、流体貫流路を備える温度のバリア層と、少なくとも１つの絶縁層とを有し、外側、すなわち温度のバリア層に対して外方向にある側における絶縁層の厚さは、１０ｃｍ未満、好ましくは８ｃｍ未満、特に好ましくは６ｃｍ未満である。
【００３８】
驚くべきことに、温度のバリアを有する薄い外壁を使用することがエネルギーに関して好適であることが判明している。
【００３９】
本発明によって、そのように構成される低エネルギー住宅又はエネルギー利得住宅では、外の温度が比較的高い場合は、外側の比較的薄い絶縁層を通じる熱損失に関しては、熱を獲得するために、補償よりも、より良い対処がなされる。
【００４０】
したがって、エネルギーのバリアを有する適切な壁によって、年間平均温度においてエネルギーを獲得することができる。
【００４１】
低エネルギー住宅又はエネルギー利得住宅の好ましい一実施の形態では、低エネルギー住宅又はエネルギー利得住宅の下方で地中に、流体導管によって外壁又は屋根面と接続される蓄熱器が配置される。この蓄熱器は、暖季に吸収層又は温度のバリア層によって得られた熱を蓄積する役割を果たす。冬季には、熱は対応する流体導管及びバルブを介して再び建物に供給される。蓄熱器は同時に、温度のバリア層に熱を供給するために地熱を利用するシステムの一部とすることができる。詳細については上述の公開特許を参照されたい。
【００４２】
好ましくは、流体導管には水と不凍液との混合物が充填される。したがって、温度が極度に低い場合であっても外側の吸収領域に凍結による損傷が生じないようにすることもできる。
【００４３】
本発明はさらに、屋根面を製造する方法に関する。その際、垂木の下方に支持板が取り付けられる。支持板の上には先ず、接着又は固締可能な絶縁層が置かれる。絶縁層の上には流体を導く導管が取り付けられ、次いでさらなる絶縁層が塗布される。最後に、屋根にルーフィングが設けられる。したがって、最も簡単な方法で、温度のバリア層として且つ／又は吸収層として使用可能な、本発明による流体を導く層を有する屋根を提供することができる。
【００４４】
好ましい一実施の形態では、流体を導く導管は埋め込み用樹脂内に埋設される。埋め込み用樹脂と絶縁層とが互いに結合するように、さらなる絶縁層がまだ流体である埋め込み用樹脂に塗布される。したがって、適切な屋根面を製造することが極めて簡単に可能である。流体を導く導管は、その上にあるルーフィングによっておのずと環境の影響から保護されるので、必ずしも鋳込まれなくてもよい。このように構成される屋根面は特に、屋根の垂木の間に配置され、したがって空間を無駄に使用することはないという利点を有している。
【００４５】
本発明のさらなる一構成では、好ましくは吸収層として形成される、流体を導く導管を有するさらなる層が塗布される。したがって、２つの層を有する屋根面を、流体を導く導管に設けることができ、そのうちの上層は吸収層として、また下層は温度のバリア層として使用される。
【００４６】
好ましくは、層の間と、流体を導くさらなる層の上方とにそれぞれ絶縁層が塗布される。
【００４７】
以下に図１〜図３を参照して本発明をより詳細に説明する。
【発明を実施するための最良の形態】
【００４８】
図１は、この実施形態ではプレハブのために且つ古い建物を現代風にするためにモジュール式に構成される部材として提供される、本発明による壁又は屋根面の部材１を概略的に示している。
【００４９】
壁部材１は、内側にある絶縁層２と、外側にある絶縁層５とを備える。内側にある絶縁層２と外側にある絶縁層５との間には温度のバリア層３が配置されている。温度のバリア層３は、水と不凍液との混合物が循環可能な流体導管４を備える。外側には、壁部材又は屋根面部材１を天候の影響から保護するために漆喰を上塗りされたグラスファイバマットを含む外層８が設けられている。本発明によれば、壁部材又は屋根面部材は極めて薄く、すなわち３５ｃｍ未満の厚さで形成される。このように薄い外壁は、年間の利得において著しい効率を発揮する。外の温度が内部の温度よりも高くなると即座に、エネルギーは蓄熱システム（図示せず）に送られることができる。冬季中は、建物（図示せず）には地中の蓄熱器から熱供給されることが可能である。その上、壁が薄く形成されているので、製造コスト、貯蔵コスト及び輸送コスト、並びに組立てコストが低減される。さらに、壁が薄いので同じ敷地面積でも居住面積が広くなることが可能である。
【００５０】
４人が住む住宅の場合、２０℃の一定の室内温度、−６℃の冬季の平均の外の温度、＋３０℃の夏季の平均の外の温度で、年間約２５００ｋＷ時／ｍ２のエネルギー得ることが可能であることが判明している。
【００５１】
図２は本発明の代替の一実施形態を示している。この場合も、壁部材又は屋根面部材１は同様に内側の絶縁層２を有する。その隣に、流体導管４が設けられているコンクリート層を含む温度のバリア層３が延在している。その上、この実施形態は、同様に流体導管と共に形成された吸収層６を有しており、この吸収層６はさらなる絶縁層５を介して温度のバリア層３から分離されている。吸収層６の外側にも同様に薄い絶縁層７が配置されている。この実施形態も漆喰から成る外層８で終端している。本発明によれば、流体貫流路をプラスチック管として形成することも、毛管マットとして形成することもできる。その際、吸収層６の管又はマットは、ソーラーパネルの機能を有する。夏季には付加的な吸収循環路（図示せず）を介してエネルギーが蓄積される。外壁の外側の絶縁層は、２ｃｍ〜３ｃｍの絶縁材にまで縮小され、温度のバリア層と吸収層との間の付加的な絶縁体によって、厚さが僅か４ｃｍ〜８ｃｍの外側の絶縁層を提供できる。
【００５２】
図３は、本発明による壁部材又は屋根面部材１と共に構成される低エネルギー住宅１０又はエネルギー利得住宅を概略的に示している。低エネルギー住宅１０においては、壁も屋根も本発明による壁部材又は屋根面部材１を設けられている。壁部材又は屋根面部材１は、住宅の下方の地中に配置された蓄熱器１１と共にある流体導管１２と接続し、流体導管１２内では水と不凍液との混合物が循環する。
【００５３】
図４は、本発明によるモジュール構造の屋根面部材２０を概略的に示している。屋根面部材は、基本的には図１の壁部材又は屋根面部材の実施形態に対応している。しかしこの場合は、部材はモジュール式に構成され、他の部材と連結するために横溝２１を有する。上側には外層として、構造化されている水密層が配置され、これは、ルーフィング２２として形成される。屋根面部材２０は自己突出式に形成され、縁部にシール（図示せず）を有する。したがって、本発明による屋根面部材２０を使用して最も短時間で完成した屋根を設置することができる。
【００５４】
図５は、本発明による方法で製造された屋根面部材２０を概略的に示している。垂木２３の下にはＯＢＳ板（図示せず）が取り付けられている。屋根面部材２０の実施形態は図２の実施形態に対応している。温度のバリア層３はコンクリート内に鋳込まれている。吸収層６は垂木の間に敷設された流体導管４を含んでいる。吸収層６の流体導管４は、その上に置かれたルーフィング２２によって天候の影響から保護されるので、埋め込み用樹脂内に埋設する必要はなく、緩やかに敷設されている。
【００５５】
本発明によれば特に、吸収層（図示せず）を有する屋根構造は特に簡単である。その際、三角屋根には、垂木の下方に貼着可能な繊維板が設けられる。理想的には、垂木間の間隔は１ｍであるので、垂木の間にはスチロポール絶縁板を切断せずに挿入することができる。したがって、ＯＢＳ板の上には厚さが約５ｃｍのスチロポール板が置かれ、場合によっては発泡され、固定される。そして、スチロポール板の上にはプラスチック導管から成る温度のバリア層が垂木に対して横向きにミアンダ状に置かれ、次いで通気口バルブを介して環状導管に結合されるように棟まで導かれる。代替的に、ミアンダ状に敷設されるプラスチック導管の代わりに、毛管マットを敷設することもできる。次いで垂木間のスペースに埋め込み用樹脂が注がれ、厚さ５ｃｍのさらなるスチロポール絶縁層が塗布される。次いでこのスチロポール絶縁層は未だ硬化していない埋め込み用樹脂と固着する。次いで第２のスチロポール絶縁層上に、吸収層としてさらなるプラスチック導管がミアンダ状に敷設され、接続される。この吸収導管は、その上にあるルーフィングによって環境の影響から保護されるので、必ずしも鋳込まれて埋設される必要はない。したがって、極端に薄い屋根絶縁体においてもエネルギーの観点から最適に効率的に、この技術を最も簡単な方法で組み込むことができ、ロフトを冷房すること及び適温に調節することに利用することができる。
【図面の簡単な説明】
【００５６】
【図１】本発明による壁部材又は屋根面部材の概略断面図である。
【図２】本発明による壁部材又は屋根面部材の代替の一実施形態の断面図である。
【図３】本発明による壁部材又は屋根面部材を建物に組み込んだ概略図である。
【図４】本発明によるモジュール構造の壁部材又は屋根面部材の概略図である。
【図５】本発明による方法で製造された屋根面部材の概略図である。
【符号の説明】
【００５７】
１  壁部材又は屋根面部材
２  絶縁層
３  温度のバリア層
４  流体導管
５  絶縁層
６  吸収層
７  絶縁層
８  外層
１０  低エネルギー住宅／エネルギー利得住宅
１１  蓄熱器
１２  導管
２０  屋根面部材
２１  溝
２２  ルーフィング
２３  垂木
【図１】
2009503286.tif 000003
【図２】
2009503286.tif 000004
【図３】
2009503286.tif 000005
【図４】
2009503286.tif 000006
【図５】
2009503286.tif 000007
【国際調査報告】
2009503286.tif 000008
2009503286.tif 000009
2009503286.tif 000010
2009503286.tif 000011
2009503286.tif 000012
2009503286.tif 000013